(57)【要約】本発明は、移動通信器機を使用した会員保護方法に関するもので、特に、ある状況、例えば、位置追跡機能を有する移動通信器機を携帯した会員がタクシーに乗ったり、見知らぬ建物に入る時に、その状況が終了する約定時間及びタクシーの登録番号などの移動情報を中央制御サーバーに登録し、会員の位置を把握し一時的に保存され約定時間までに会員から移動解除通知を受信できない場合、保安スタッフの移動端末機に会員の位置など所定の移動情報を送信するような方法で、緊急事態に速かに対処することができる移動通信器機を利用した会員保護方法に関する。
2005519377.tif 000002
【特許請求の範囲】
【請求項１】
情報の送受信が制御される中央制御サーバー構築段階と、前記中央制御サーバーに連動して働き移動通信器機番号と専用連絡場所を含んだ会員情報を会員別に保存する会員情報データベース構築段階と、前記中央制御サーバーと連動して働き会員の移動情報が保存され、約定時間が登録される移動情報データベース構築段階と、前記中央制御サーバーの制御によって会員から約定時間を含んだ移動情報が受信され、移動情報データベースに約定時間が登録され、移動情報が保存され、前記専用連絡場所に通知される保護状態開始段階と、前記保護状態が開始された後会員からの移動解除通知が受信され、保護状態が終了するまで中央制御サーバーの制御によって一定期間、前記移動通信器機の位置を追跡し、追跡情報が移動情報データベースに保存される位置保存段階及び、前記約定時間まで移動解除通知が受信されない時に、中央制御サーバーの制御によって動員スタッフの移動端末機に前記位置保存段階で保存された位置情報と前記移動情報が送信される移動情報送信段階より構成される移動通信器機を利用した会員保護方法 。
【請求項２】
前記移動情報送信段階において、動員要請通知が専用連絡場所から中央制御サーバーによって受信された時に、中央制御サーバーの制御によって動員スタッフの移動端末機に前記位置保存段階で保存された位置データと前記移動情報が送信されることを特徴とする請求項１記載の方法。
【請求項３】
前記移動情報送信段階は、さらに専用連絡場所に移動情報を送信する過程を包むことを特徴とする請求項１記載の方法 。
【請求項４】
前記移動通信器機は、携帯電話またはＰＤＡ（携帯情報端末）であることを特徴とする請求項１乃至請求項３のいずれか１項に記載の方法。
【発明の詳細な説明】
【技術分野】
【０００１】
本発明は、移動通信器機を利用した会員保護方法に関するもので、より詳しくは、ある特定の情報、例えば、位置追跡機能を有する移動通信器機を携帯した会員がタクシーに乗ったり、見知らぬ建物に入る時に、その状況が終了する約定時間及びタクシーの登録番号などの移動情報を中央制御サーバーに登録し、会員の位置を把握し一時的に保存し、約定時間まで会員から移動解除通知を受信できない場合、保安要員の移動端末機に会員の位置など所定の移動情報を送信し、緊急事態に速かに対処することができる移動通信器機を利用した会員保護方法に関するものである。
【背景技術】
【０００２】
最近、携帯電話のような移動通信器機が広く普及しており、またこのような移動通信器機を利用して携帯している者の位置追跡する技術も一般化されている。
【０００３】
女性又はお年寄りおよび体力の弱った人が夜間にタクシーに乗ったり見知らぬ建物に入る場合、人は不安を感じるが、適切な安全対応処置は得られない。この場合、人はガス銃を持つことができる。しかし、上記方法は、適切な安全対応処置ではないかもしれない。
【発明の開示】
【発明が解決しようとする課題】
【０００４】
従って、従来技術において直面していた問題点に打ち勝つ本発明の目的は、ある特定の状況、例えば、位置追跡機能を有する移動通信器機を携帯した会員がタクシーに乗ったり、見知らぬ建物に入る時に、その状況が終了する約定時間及びタクシーの登録番号などの移動情報を中央制御サーバーに登録し、会員の位置を把握および一時的に保存し、約定時間までに会員から状況終了通知を受信できない場合、保安要員の移動端末機に会員の位置など所定の移動情報を送信して緊急事態に速かに対処することができる移動通信器機を利用した会員保護方法を提供することである。
【課題を解決するための手段】
【０００５】
前記目的を達成するために本発明は、情報の送受信を制御する中央制御サーバー構築段階と、前記中央制御サーバーと連携して移動通信器機番号と専用連絡場所を含んだ会員情報を会員別に保存する会員情報データベース構築段階と、前記中央制御サーバーと連携して作動し会員の移動情報が保存され、約定時間が登録される移動情報データベース構築段階と、前記中央制御サーバーの制御によって会員から約定時間を含んだ移動情報を受信し移動情報データベースに約定時間が登録され、そして移動情報が保存され、前記専用連絡場所に通知する保護状態開始段階と、前記保護状態が開始された後、会員からの保護状態解除通知が受信され、保護状態が終了するまで中央制御サーバーの制御によって所定の時間、前記移動通信器機の位置が追跡され、追跡情報が移動情報データベースに保存される位置保存段階及び、前記約定時間まで保護状態解除通知が受信されなければ中央制御サーバーの制御によって動員スタッフの移動端末機に前記位置保存段階で保存された位置情報と前記移動情報を送信する移動情報送信段階を含む。
【０００６】
上記目的を達成するために、前記移動情報送信段階は、専用連絡場所からの動員要請通知が中央制御サーバーに受信された時、中央制御サーバーの制御によって動員スタッフの移動端末機に前記位置保存段階で保存された位置データと前記移動情報を送信するものである。
【０００７】
上記目的を達成するために、前記移動情報送信段階は、専用連絡場所にさらに移動情報を送信する過程を包含する。
【０００８】
上記目的を達成するために、前記移動通信器機は、携帯電話またはＰＤＡ（携帯情報端末）である。
【発明の効果】
【０００９】
上述のように、女性、お年寄り又は体の弱っている人がタクシーに乗ったり危険な場所に移動する場合、人は移動通信器機を利用して自分の移動状況及び予想移動終了時間である約定時間を登録し、それによって危険を予め防止し緊急事態に迅速に対処することができる。
【００１０】
また、本発明において、会員から予め受信した移動情報と既存の位置追跡技術を組合わせることにより速かに会員の位置を追跡することができる。
【００１１】
また、まだ緊急救助を要請しにくい状況でも、約定時間の経過、専用連絡場所での出動要請などによって能動的な対処ができる。
【発明を実施するための最良の形態】
【００１２】
本発明は、実例としてのみ与えられ、本発明を限定するのではない添付の図面を参照して、より理解されるであろう。
【００１３】
添付された図を参照して本発明の好ましい実施形態を詳しく説明する。
【００１４】
図１は本発明に係る移動通信器機を利用した会員保護方法を図解する図で、図２は図１の詳細を図解する図で、図３は本発明に係る移動通信器機を利用した会員保護方法を実現するためのシステムを説明する図である。
【００１５】
まず、図３に示すように、本発明に係る移動通信器機を利用した会員保護方法を実現するためのシステムを説明する。
【００１６】
前記システムは会員の移動通信器機、移動通信サービス会社の移動通信システム２０、中央制御サーバー３０、会員情報データベース３１、移動情報データベース３２、動員スタッフの移動端末機４０とで構成される。
【００１７】
ここで、前記移動通信器機１０は例えば、携帯電話、ＰＤＡ（携帯情報端末）など移動中に音声またはデータ通信が可能な通信機器を示す。本発明の好ましい実施形態では携帯電話を移動通信機器１０として使用する。また、前記移動通信器機１０は、前記移動通信機器１０が位置追跡機能が実施できるように構成されている。このような位置追跡情報は前記移動通信サービス会社の移動通信システム２０を通して中央制御サーバー３０に送信される。 
【００１８】
このような移動通信器機１０を利用した位置追跡方法はＧＰＳ（グローバル・ポジショニング・システム）が組み込まれた移動通信器機を利用してより正確な位置追跡機能を実現することができ、Ａ−ＧＰＳ（補助ＧＰＳ）、Ｄ−ＧＰＳ（差動ＧＰＳ）も利用することができる。また、そのほかにもネットワーク基盤方式、専用ネットワーク基盤方式などがある。また、移動通信器機から入って来る信号の到来角を測定して移動通信器機の位置を求めるＡＯＡ（到来角）方式と、電波の到達時間を利用するＴＯＡ（到達時間）方式などを組み合わせたハイブリッド方式に基づく正確な位置追跡機能を実現することが可能である。
【００１９】
前記中央制御サーバー３０は、情報（データ）の送受信を制御するために、有線インターネット及び無線インターネットに繋がれたコンピュータシステムである。
【００２０】
前記有線インターネットはインターネットでハイパーテキストデータを通信するために使われるＨＴＴＰ（ハイパーテキスト転送プロトコル）に基づく情報を対象とする。
【００２１】
前記無線インターネットは、携帯電話やＰＤＡなどのような移動通信器機が電子メール、音声及び画像送信などのインターネット接続に使われることができる方法の標準化を対象とするＷＡＰ（ワイヤレス・アプリケーション・プロトコル）に基づいて情報を送受信する。
【００２２】
前記会員情報データベース３１及び移動情報データベース３２は、前記中央制御サーバー３０に連動して動作し、保存された情報を書き込み及び読み取りすることができる情報保存装置を含んでいる。 
【００２３】
前記動員スタッフの移動端末機４０は前記中央制御サーバー３０から情報を受信することが、コードレス通信でできる機械であり、携帯電話、ＰＤＡなどが含まれる。
【００２４】
以下、本実施例に係る移動通信器機を利用した会員保護方法を図１または図２を参照して説明する。
【００２５】
図１に示すように、本発明による移動通信機器を使用した会員保護方法は、中央制御サーバー構築段階（Ｓ１０）、会員情報データベース構築段階（Ｓ２０）、移動情報データベース構築段階（Ｓ３０）、保護状態開始段階（Ｓ４０）、位置保存段階（Ｓ５０）、移動情報送信段階（Ｓ６０）とで構成される。
【００２６】
前記中央制御サーバー構築段階（Ｓ１０）において、前記全段階を制御できるコンピュータシステムである中央制御サーバー３０が構築される。
【００２７】
前記会員情報データベース構築段階（Ｓ２０）は、会員収集過程（Ｓ２１）と、会員情報収集過程（Ｓ２２）と、会員情報保存過程（Ｓ２３）とで構成される。
【００２８】
前記会員収集過程（Ｓ２１）は、前記中央制御サーバー３０に基づくウェブサイトを作成してオンラインで会員を集める。電話をかけたり、家や職場への訪問などで会員を集める。
【００２９】
前記会員情報収集過程（Ｓ２２）において、前記会員収集過程（Ｓ２１）で会員として集められた人の名前、写真、住所、専用連絡場所、携帯電話番号などの会員情報が集められる。前記会員情報は、前記ウェブサイトを通してオンラインで収集される。また、電話や郵送でも会員情報を収集できる。収集した会員情報は前記会員情報保存過程（Ｓ２３）で会員情報データベース（３１）に会員別に保存され、会員情報データベース（３１）が構築される。会員情報データベース（３１）は前記中央制御サーバー（３０）と連動して情報の送受信（入出力）を制御する。
【００３０】
前記移動情報データベース構築段階（Ｓ３０）において、会員がタクシーに乗ったり、ある建物に入る時に、移動の約定時間である予想終了時間、タクシーのナンバープレート番号、建物の名称及び位置、会員の位置などの会員の移動に関する情報を保存するために移動情報データベース（３２）が構築される。移動情報データベース（３２）は前記中央制御サーバー（３０）に連動して情報の送受信（入出力）を制御し、会員の移動状況を記録しておくことができる私書箱として機能する。
【００３１】
前記保護状態開始段階（Ｓ４０）は、移動情報受信過程（Ｓ４１）、約定時間登録過程（Ｓ４２）、移動情報保存過程（Ｓ４３）および、専用連絡場所への通知過程（Ｓ４４）とで構成される。
【００３２】
前記移動情報受信過程（Ｓ４１）において、特に女性や子供、お年寄り、体の弱った人などがタクシーに乗ったり、危険が発生する可能性がある見知らぬ場所に移動する場合、移動が終わる約定時間、タクシーのナンバープレート番号、移動場所などの移動に関する情報が、その人が携帯している移動通信器機（１０）を通して送信されると、前記中央制御サーバー（３０）が上記情報を受信する。
【００３３】
前記約定時間登録過程（Ｓ４２）と移動情報保存過程（Ｓ４３）は、前記移動情報受信過程（Ｓ４１）で会員の移動情報が受信されれば中央制御サーバー３０の制御によって移動情報データベース３２に移動終了予定時間である約定時間を登録し移動情報を保存する。
【００３４】
また、移動情報が受信された時に、中央制御サーバー（３０）は前記会員情報データベース（３１）から専用連絡場所を検索してＳＭＳ（簡易メッセージ・サービス）または電子メールなどを通して会員の移動情報を通知するための専用連絡場所への通知過程（Ｓ４４）を遂行する。
【００３５】
前記位置保存段階（Ｓ５０）は、移動通信器機の位置追跡過程（Ｓ５１）と移動情報データベースへの保存過程（Ｓ５２）とを含む。
【００３６】
前記保護状態開始段階（Ｓ４０）で会員から移動情報が受信され保護状態が開始された時に、会員が携帯している移動通信器機（１０）の位置が一定時間追跡され、移動通信器機の位置追跡情報が前記移動通信サービス会社の移動通信システムを通して前記中央制御サーバー（３０）によって受信される。中央制御サーバー３０は受信された会員の位置を前記移動情報データベース（Ｓ５２）に保存する。
【００３７】
前記移動情報送信段階（Ｓ６０）は、動員スタッフ検索過程（Ｓ６１）と移動情報送信過程（Ｓ６２）とを含む。
【００３８】
前記保護状態開始段階（Ｓ４０）で会員から所定の移動情報が中央制御サーバー（３０）によって受信された時に、会員保護が開始された状態で、前記約定時間まで会員から移動解除通知が中央制御サーバー（３０）によって受信されなかったり、専用連絡場所から動員要請が中央制御サーバー（３０）によって受信されると、前記移動情報送信段階（Ｓ６０）が実行され、その結果、会員の危険に対して直接的な保護対処が行なわれる。 
【００３９】
前記動員スタッフは所定の状況が発生した場合、会員がある起こりうる危険に遭遇している場所に動員されることによって会員を保護するための人であり、前記中央制御サーバー（３０）から会員に関する情報と移動情報及び会員の位置情報を受信することができる移動端末機４０を具備している。所定数の人員が、効果的にその範囲を統制するために所定の範囲に配置される。
【００４０】
前記動員スタッフ検索過程（Ｓ６１）において、ある会員が危険に処していると判断される場合、つまり、前記約定時間までに会員から移動状態終了通知が中央制御サーバー（３０）によって受信されず、約定時間を経過したり或いは専用連絡場所から動員要請が中央制御サーバー（３０）によって受信された場合、前記位置保存段階（Ｓ５０）で保存されている会員の位置に基づいて、一番迅速に動員することができる動員スタッフを検索するものである。
【００４１】
前記移動情報送信過程（Ｓ６２）において、前記会員の情報及び移動情報、会員の位置情報などが、中央制御サーバー３０の制御によって前記動員スタッフ検索過程（Ｓ６１）で検索された動員スタッフの移動端末機（４０）に送信され、したがって、所定の動員情報を受信した動員メンバーが会員を危険から保護するために所定の場所へ出動する。
【００４２】
また、前記移動情報などが、専用連絡場所へ同時に送信され、その結果、危険に遭遇している人の保護者が効果的に対処できる。
【００４３】
本発明は、その精神や本質的特徴から逸脱することなく様々な形での実施が可能であるように、上述の実施例は、上述の説明のいくつかの内容によって限定されるのではなく、添付の請求項に定義されている精神と範囲内で広く解釈されるべきであって、請求項の要求および範囲内、または要求及び範囲と同等内で収まる全て変形及び変更が添付の請求項によって受け入れられることを目的としている。
【図面の簡単な説明】
【００４４】
【図１】本発明に係る移動通信器機を利用した会員保護方法を図解する図である。
【図２】図１の詳細を図解する図である。
【図３】本発明に係る移動通信器機を利用した会員保護方法を実施するためのシステムを説明する図である。
【符号の説明】
【００４５】
１０            会員の移動通信器機
２０            移動通信サービス会社の移動通信システム
３０            中央制御サーバー
３１            会員情報データベース
３２            移動情報データベース
４０            動員スタッフの移動端末機
【図１】
2005519377.tif 000003
【図２】
2005519377.tif 000004
【図３】
2005519377.tif 000005
【国際調査報告】
2005519377.tif 000006